(57)【要約】【課題】ユーザが、携帯電話によって受信される長編のＥメールメッセージとＥメール添付ファイルとをプリントアウトし閲覧する機能を提供する。【解決手段】ＥメールメッセージおよびＥメール添付ファイルをプリンタにプリントするように携帯電話を設定する方法およびシステムを提供する。一実施形態では、携帯電話は、Ｅメールメッセージが入手可能でありメールサーバに格納されているという指示を受取る。携帯電話は、メールサーバからＥメールを受取るように構成される。携帯電話はまた、特定のプリンタに印刷を指示し、メールサーバに対しＥメールメッセージをプリントするために特定のプリンタに送信するよう命令するように構成される。【選択図】図４
2004220606.tif 000002
【特許請求の範囲】
【請求項１】
携帯電話であって、
Ｅメールメッセージが入手可能であるという指示を受取る送受信機と、
該ＥメールメッセージおよびＥメール設定セッティングをプリントすることができるプリンタのプリンタ設定情報を格納するメモリと、
該メモリに連結され、前記Ｅメールメッセージの印刷を前記プリンタに指示するように当該携帯電話を設定するプロセッサと
を有する携帯電話。
【請求項２】
前記Ｅメール設定セッティングが前記送受信機に送信される、請求項１記載の携帯電話。
【請求項３】
前記Ｅメール設定セッティングがショートメッセージサービスによって送信される、請求項１記載の携帯電話。
【請求項４】
前記プリンタ設定情報が前記送受信機に送信される、請求項１記載の携帯電話。
【請求項５】
前記ＥメールメッセージがＥメール添付ファイルを含み、該Ｅメール添付ファイルはプリントされるために前記プリンタに送信される、請求項１記載の携帯電話。
【請求項６】
システムであって、
Ｅメールメッセージの指示を受取るように設定可能な携帯電話と、
該Ｅメールメッセージを受取るサーバと、
前記携帯電話とプリンタとの位置を特定するように構成されたネットワークと
を有し、
前記サーバは、前記携帯電話によって指示されるように前記Ｅメールメッセージをプリントするために前記プリンタに送信する、システム。
【請求項７】
前記ネットワークが、前記Ｅメールを前記プリンタに送信するよう前記サーバに対して命令するように前記携帯電話を設定するために、プリンタ設定情報を前記携帯電話に提供する、請求項６記載のシステム。
【請求項８】
Ｅメールメッセージをサーバにおいて格納するステップと、
該Ｅメールメッセージの指示を携帯電話において受取るステップと、
プリントジョブをプリンタに送信するように前記携帯電話を設定するステップと、
前記携帯電話により、前記サーバに対し、前記Ｅメールメッセージをプリントするために前記プリンタに送信するように命令するステップと、
を含む方法。
【請求項９】
前記ＥメールメッセージがＥメール添付ファイルを含み、該Ｅメール添付ファイルをプリントするために前記プリンタに送信する請求項８記載の方法。
【請求項１０】
前記Ｅメール設定セッティングが、無線アクセスプロトコルサーバセッティングと、メールサーバ名と、メールサーバポート番号と、メールボックス名と、Ｅメールパスワードと、簡易メール転送プロトコル（ＳＭＴＰ）サーバ名と、ＳＭＴＰポート番号と、プリンタＥメールアドレスとを含む、請求項８記載の方法。
【発明の詳細な説明】
【技術分野】
【０００１】
本発明は、携帯電話印刷に関し、特に、電子メール（Ｅメール）メッセージおよびＥメール添付ファイルをプリントするように携帯電話を設定することに関する。
【背景技術】
【０００２】
移動または携帯電話は、サイズがますます小さくなってきており、ユーザの生産性を向上させるより優れた機能を提供し続けている。多くの携帯電話は、音声通信を提供するだけでなく、マルチメディアメッセージ通信サービス（ＭＭＳ）等のテキストメッセージ通信サービスを提供することができる。多くのユーザとってさらに重要なことには、携帯電話によっては、通常パーソナルコンピュータ、コンピュータワークステーション、別の携帯電話等により送受信される電子メール（Ｅメール）メッセージを送受信する能力を提供するものがある。
【０００３】
Ｅメールメッセージは、短い１つか２つの文のテキストメッセージから長く複雑な文書のようなメッセージまで及ぶ場合がある。場合によっては、Ｅメールメッセージにグラフィックスが含まれる場合もある。Ｅメールメッセージを受信する携帯電話は、通常、Ｅメールメッセージのテキストしか処理することができない。比較的小さい表示画面サイズにより、ユーザの比較的長いＥメールメッセージを読む能力が制限される。
【０００４】
Ｅメール添付ファイルは、Ｅメールメッセージとともに含まれるファイルである。Ｅメール添付ファイルは、受信装置に常駐する特定のアプリケーションプログラムでしか開くことができない。通常、電子メール添付ファイルの受信装置は、デスクトップおよびラップトップの形態のパーソナルコンピュータ（ＰＣ）ならびにコンピュータワークステーションである。ＰＣおよびワークステーションは、アプリケーションプログラムをホストするために必要な記憶リソースと、電子メール添付ファイルを開き操作するために必要な処理能力と、アプリケーションプログラムを有効に実行するために十分な電源またはバッテリ容量と、を有する。
【０００５】
対照的に、携帯電話は、Ｅメール添付ファイルを開き使用するために必要なアプリケーションプログラムをホストするためには記憶域が制限されている。さらに、携帯電話のマイクロプロセッサは、動作が制限されており、常駐アプリケーションプログラムを処理する際にＰＣおよびワークステーションのマイクロプロセッサほどパワフルではない。
【０００６】
携帯電話におけるメモリまたは記憶リソースもまた、ＰＣまたはワークステーションのメモリリソースに比べて制限されている。アプリケーションプログラムは、通常、携帯電話によって提供されるものより大きいメモリリソースを必要とする。
【０００７】
最後に、アプリケーションプログラム、特に連続的な複数の動作を行うアプリケーションプログラムを実行することは、電源（すなわち、バッテリ）リソースに重い負担をかけている。携帯電話のバッテリリソースは、十分な動作時間にほとんどのアプリケーションプログラムを実行するためには有効ではない。
【０００８】
携帯電話の表示画面は、サイズが増大し続けており、すなわち、より高い画素解像度を提供しより多くの色を提供し続けているが、ＰＣ画面に比較して小さい携帯電話の表示画面は、多くの長編のＥメールメッセージとＥメール添付ファイルとを適当に表示するためには不適当である。さらに、携帯電話表示画面において解像度および色が増大し続けても、携帯電話画面はまだＰＣ表示画面によって提供される解像度および色には足りない。
【発明の開示】
【発明が解決しようとする課題】
【０００９】
したがって、この発明は、ユーザが、携帯電話によって受信される長編のＰＣ向けＥメールメッセージとＥメール添付ファイルとをプリントアウトし閲覧することを可能にする機能を提供することに関連する問題から生まれた。
【課題を解決するための手段】
【００１０】
ＥメールメッセージおよびＥメール添付ファイルをプリンタにプリントするように携帯電話を設定する方法およびシステムについて述べる。一実施形態では、携帯電話は、Ｅメールメッセージが入手可能でありメールサーバに格納されているという指示を受取る。携帯電話は、メールサーバからＥメールを受取るように構成される。携帯電話はまた、特定のプリンタに印刷を指示し、メールサーバに対しＥメールメッセージをプリントするために特定のプリンタに送信するよう命令するように構成される。
【００１１】
実施形態によっては、情報テクノロジセンターが、特定のメールサーバに関連する情報とプリンタ設定情報とを含む携帯電話のＥメール設定セッティングを提供し追跡する。
【００１２】
実施形態によっては、携帯電話が、受取ったＥメールおよびプリンタ設定セッティングにしたがって適当なメモリロケーションを自動的に設定することが可能であり、他の実施形態では、ユーザは適当なメモリロケーションに対し設定セッティングをコピーする。
【００１３】
図面を通して、同じ参照番号を使用して同じ構成要素および特徴を参照する。
【発明を実施するための最良の形態】
【００１４】
代表的なＥメールネットワーク
図１は、携帯電話がＥメールメッセージおよび添付ファイルを受信しＥメールメッセージを送信するための代表的な環境１００を示す。環境１００は、ハードウェア、ソフトウェアまたは組合せによりＥメールメッセージを送受信するように構成される携帯電話１０５を含む。携帯電話１０５は、セルラ基地局１１０に接続する。メッセージは、携帯電話１０５およびセルラ基地局１１０により無線周波数（ＲＦ）信号を介して送受信される。セルラ基地局１１０は、陸線、無線接続または組合せを介してネットワークサーバ１１５に接続する。セルラ基地局１１０を、陸線、無線接続または組合せのいずれを介してネットワークサーバ１１５に接続してもよい。ネットワークサーバ１１５は、陸線、無線接続または組合せを介して無線アクセスプロトコル（ＷＡＰ）ゲートウェイ１２０に接続される。携帯電話１０５は、ハードウェア、ソフトウェアまたは組合せにより適当なセッティングで、正しいＷＡＰゲートウェイコンピュータ１２０にアクセスするように適当に構成されていなければならない。ＷＡＰゲートウェイコンピュータ１２０は、インターネット、イントラネットおよびローカルエリアネットワーク（ＬＡＮ）を含んでもよいネットワーク１２５に接続される。ネットワーク１２５を、携帯電話１０５用のＥメールポータルとみなしてもよい。
【００１５】
ネットワーク１２５は、陸線、無線接続または組合せを介してメールサーバ１３０に接続する。メールサーバ１３０を、ポストオフィスプロトコル３（ＰＯＰ３）またはインターネットメッセージアクセスプロトコル（ＩＭＡＰ）等の１つまたは複数のプロトコルを使用するように構成してもよい。メールサーバ１３０を、名前またはポート番号によって識別してもよい。携帯電話１０５に向けられるＥメールメッセージは、メールサーバ１３０に格納される。携帯電話１０５に向けられるＥメールメッセージを、ネットワーク１２５および／または他のネットワークを経由してメールサーバ１３０に送信してもよい。携帯電話１０５は、ＷＡＰゲートウェイ１２０を介してメールサーバ１３０に要求を送信することにより一部または全Ｅメールメッセージを受信してもよい。また、携帯電話１０５は、ＷＡＰゲートウェイ１２０を介してメールサーバ１３０からＥメールメッセージを削除するように要求してもよい。
【００１６】
ネットワーク１２５は、陸線、無線接続または組合せを介して簡易メール転送プロトコル（ＳＭＴＰ）サーバ１３５に接続する。ＳＭＰＴサーバ１３５を、名前およびポート番号によって識別してもよい。携帯電話１０５がＥメールメッセージを送信する場合、Ｅメールメッセージは、ＷＡＰゲートウェイコンピュータ１２０およびネットワーク１２５を介して送信され、最終的にＳＭＴＰサーバ１３５に到達する。ＳＭＴＰサーバ１３５は、Ｅメールメッセージをネットワーク１２５かまたは他のネットワークにより配信し、そこでは、Ｅメールメッセージは、メールサーバ１３０を含んでもよい適当なメールサーバによって受信される。
【００１７】
動作シナリオ例では、携帯電話１０５は、ＷＡＰゲートウェイコンピュータ１２０から、Ｅメールメッセージおよび添付ファイルがＳＭＴＰサーバ１３５に送信されたという指示を受信する。携帯電話１０５は、実際のＥメールメッセージおよび添付ファイルを受信しないが、ＳＭＴＰサーバに対してＥメールメッセージおよび添付ファイルをプリントし、転送しおよび／または削除する等の動作を行うように命令するまでＥメールメッセージおよび添付ファイルをＳＭＴＰサーバ１３５に格納されたままにする。
【００１８】
代表的な携帯電話アーキテクチャ
図２は、携帯電話１０５のための代表的なアーキテクチャを示す。携帯電話１０５の代表的なアーキテクチャは、あらゆる携帯電話プロトコルとアナログおよびデジタルネットワークを含むネットワークとのうちの１つを実現してもよく、時分割多重アクセス（ＴＤＭＡ）、符号分割多重アクセス（ＣＤＭＡ）および移動通信用グローバルシステム（ＧＳＭ）等の１つまたはあらゆる規格を採用してもよい。
【００１９】
携帯電話１０５のアーキテクチャは、セルラ基地局１１０からのＲＦ信号を送受信するアンテナ２００を含む。アンテナ２００は、ＲＦ信号の形態のメッセージを送受信するように構成される送受信機２０５に連結される。送受信機２０５によって受信されるＲＦメッセージは、アナログデジタル（Ａ／Ｄ）変換器２１０に送信されそれによって処理される。Ａ／Ｄ変換器２１０は、ＲＦ信号メッセージをデジタル情報に変換し、そのデジタル情報をプロセッサ２１５に提供する。Ａ／Ｄ変換器２１０は、デジタル情報の圧縮および再圧縮を提供することにより、伝送時の帯域幅空間を節約する。プロセッサ２１５は、ハードウェア、ソフトウェアまたは組合せにより、Ａ／Ｄ変換器２１０から受取った情報を操作し、かかる情報をスピーカ、キーボード（キー）、増幅器等の携帯電話１０５の一部である入出力装置による他の情報と整合させる。
【００２０】
プロセッサ２１５は、携帯電話メモリ２２０とインタフェースする。メモリ２２０は、保存された連絡先情報（たとえば、住所、電話番号およびＥメールアドレス）等の情報を含んでもよい。また、メモリ２２０は、テキストおよび／またはグラフィックメッセージを格納してもよい。メモリ２２０は、メモリの専用セクション、この例ではプリンタ設定メモリ２２５およびＥメール設定メモリ２２７を含んでもよい。特定のプリンタを記述するパラメータは、プリンタ設定メモリ２２５に格納される。特定のプリンタを記述するパラメータには、プリンタアドレスおよびプリンタロケーションがある。Ｅメールメッセージを送信してきた特定のメールサーバとＥメールメッセージを送信する先の特定のＳＭＴＰサーバとを記述するパラメータは、Ｅメール設定メモリ２２７に格納される。特定のサーバを記述するパラメータには、サーバ名とサーバポート番号とがある。プロセッサ２１５は、直接のユーザ介入および設定情報を含むメッセージの受取り等のあらゆる方法のうちの１つにより、プリンタ設定メモリ２２５およびＥメール設定メモリ２２７を変更してもよい。プロセッサ２１５は、マッピング制御コード２２９をさらに含む。設定セッティングをメモリ２２０のメモリロケーション２２５および２２７にマップするマッピング制御コード２２９によって、自動設定を行ってもよい。
【００２１】
携帯電話１０５のアーキテクチャは、あらゆるインタフェースをさらに含む。携帯電話１０５のアーキテクチャは、キーパッドまたはキーとインタフェースするキーパッドインタフェース２３０と、表示画面とインタフェースする画面インタフェース２３５と、クレードル等の外部装置とインタフェースするクレードルインタフェース２４０とを含んでもよい。そして、クレードルは、ＰＣ等のコンピューティング装置および／またはソフトウェアが携帯電話１０５に転送される、特にメモリ２２０にダウンロードされるのを可能にする光ディスクドライブまたはフロッピディスクドライブ等のソフトウェアダウンロード装置にインタフェースすることができる。代替的に、ソフトウェアを、送受信機２０５によって受信しＡ／Ｄ変換器２１０およびプロセッサ２１５によって処理することにより、メモリ２２０にダウンロードしてもよい。
【００２２】
メモリ２２０は、ランダムアクセスメモリ（ＲＡＭ）およびリードオンリメモリ（ＲＯＭ）を含むあらゆるコンピュータ読取可能媒体のうちの１つであってもよいが、当業者には、磁気カセット、フラッシュメモリカード、デジタルビデオディスク等、コンピュータがアクセス可能なデータを格納することができる他のタイプのコンピュータ読取可能媒体を使用してもよいことが理解されるはずである。
【００２３】
代表的なメッセージネットワーク環境
図３は、携帯電話１０５にメッセージを渡すための代表的な環境を示す。メッセージは、プリンタセッティングおよびＥメールサービングセッティングを変更するための設定メッセージを含んでもよい。
【００２４】
携帯電話１０５は、携帯電話ネットワーク３００の一部である。携帯電話ネットワーク３００は、環境１００を含んでもその一部であってもよい。携帯電話ネットワーク３００は、セルラ基地局１１０等のＲＦ信号メッセージを送受信する多数のセルラ基地局を含んでもよい。携帯電話ネットワーク３００は、携帯電話１０５の位置と携帯電話１０５に最も近いセルラ基地局の位置とを確定するモバイルスイッチングセンター（mobile switching center）３１５をさらに含む。モバイルスイッチングセンター３１５には、メッセージ通信センター（messaging center）３２０が動作可能に接続される。メッセージ通信センター３２０は、携帯電話ネットワーク３００において利用可能となるメッセージ（たとえば、テキスト）を受信し格納する。送信されるメッセージを、特に、ショートメッセージサービス（ＳＭＳ）メッセージと呼ぶ。
【００２５】
メッセージ通信センター３２０には、ネットワーク３３０により情報テクノロジ（ＩＴ）センター３２５を接続してもよい。ＩＴセンター３２５は、コンピュータおよび／またはコンピュータのネットワークを含んでもよい。携帯電話１０５は、他の携帯電話、個人情報端末（ＰＤＡ）、ラップトップＰＣ、デスクトップＰＣおよび他の同様の装置を含む企業ネットワーク（enterprise network）の一部であってもよい。ＩＴセンター３２５とＩＴセンター３２５の管理者とは、Ｅメールを送受信することができ、またＥメールを印刷装置に転送しプリントすることも可能であるように、エンタープライズネットワークの装置を適当に設定する責務があってもよい。
【００２６】
ＩＴセンター３２５は、携帯電話が、Ｅメール接続性を有するプリンタをサポートする特定のサーバに対してＥメールメッセージを送受信することができるようにする、携帯電話１０５のＥメール設定を変更するように、ＳＭＳメッセージを送信することができる。Ｅメール設定を記述するＳＭＳメッセージは、以下のものを含んでもよい。
【００２７】
１）データおよびＷＡＰゲートウェイセッティング
２）メールサーバ（たとえば、ＰＯＰ３）名
３）メールサーバ（たとえば、ＰＯＰ３）ポート番号
４）メールボックス名
５）パスワード（たとえば、Ｅメールアカウントにアクセスするために要求されるユーザパスワード）
６）ＳＭＴＰサーバ名
７）ＳＭＴＰポート番号
８）プリンタＥメールアドレス（すなわち、携帯電話にＥメールが送信される、他人に既知のアドレス）
９）受信されたＥメールが来た場所を記述する「送信者（From）」フィールドと、「件名（subject）」フィールド、「日付（date）」フィールドおよび「サイズ（size）」フィールドを含む他の種々の任意のフィールド
ネットワーク３３０は、広域ネットワーク（ＷＡＮ）と、無線エリアネットワークと、インターネットとを含む。動作シナリオ例では、ＩＴセンター３２５がメッセージ（たとえば、ＳＭＳメッセージ）を、ネットワーク３３０を介してメッセージ通信センター３２０に送信し、そこでメッセージが格納されるようにする。代替的に、ＩＴセンター３２５は、伝送されてセルラ基地局１１０等の基地局によって受信され、その後モバイルスイッチングセンター３１５を介してメッセージ通信センター３２０に渡される、無線メッセージを送出してもよい。ＩＴセンター３２５は、携帯電話１０５等の装置を設定し追跡する社内（corporate wide）ネットワークの一部であってもよい。
【００２８】
携帯電話１０５の設定は、携帯電話１０５があらゆるプリンタおよび印刷装置にプリントするのを可能にするプリンタ設定を含んでもよい。プリンタ設定は、プリンタの位置およびアドレスを含む。ＩＴセンター３２５は、携帯電話のユーザに対し、必要なプリンタアドレスと位置とを提供することにより特定のプリンタにプリントするオプションを含むあらゆるサービスを提供する、サービスプロバイダであってもよいことが考えられる。かかるサービスプロバイダの例は、携帯電話のユーザが空港、喫茶店および公共建築物等の場所で「公衆」プリンタからプリントするのを可能にするサービスである。動作シナリオ例では、携帯電話のユーザはＩＴセンター３２５に連絡を取り、ＩＴセンター３２５は、携帯電話１０５と最も近いプリンタとの位置を確定し、その後携帯電話１０５に対し、特定のプリンタにプリントするために必要なプリンタアドレスおよび位置を提供する。
【００２９】
実施形態では、ＩＴセンター３２５は、携帯電話１０５が携帯電話ネットワーク３００、特にモバイルスイッチングセンター３１５を通過する場合を確定し、携帯電話１０５が接続することができる利用可能なプリンタおよび／またはネットワークの位置を確定する。プリンタおよび／またはネットワークの位置を、ＩＴセンター３２５により、ＩＴセンター３２５が維持するデータベースを介して取得してもよい。ＩＴセンター３２５は、携帯電話１０５に対し、携帯電話１０５が利用可能なプリンタにプリントすることを可能にする印刷位置およびアドレスを提供する。そして、携帯電話１０５は、利用可能なプリンタにプリントするために提供される情報によりそれ自体を設定する。
【００３０】
ＩＴセンター３２５は、ハードディスク、リムーバブル磁気ディスクおよびリムーバブル光ディスク等のコンピュータ読取可能媒体を含む１つまたはあらゆるコンピュータを採用してもよいが、当業者には、磁気カセット、フラッシュメモリカード、デジタルビデオディスク、ランダムアクセスメモリ（ＲＡＭ）、リードオンリメモリ（ＲＯＭ）等、コンピュータがアクセス可能なデータを格納することができる他のタイプのコンピュータ読取可能媒体を使用してもよいことが理解されるはずである。
【００３１】
代表的な印刷環境
図４は、携帯電話１０５がプリンタまたは印刷装置にプリントするのを可能にする代表的なネットワークシステム４００を示す。特に、ネットワークシステム４００は、携帯電話１０５に送信されるＥメールメッセージおよびＥメール添付ファイルがプリントされるようにする。携帯電話１０５は、ネットワークシステム４００の一部である。一実施形態では、携帯電話１０５は、ＷＡＰゲートウェイ１２０を介してネットワークシステム４００に接続する。他の実施形態では、ＷＡＰゲートウェイ１２０の代りに別のゲートウェイコンピュータを使用してもよく、その場合、ゲートウェイコンピュータは、携帯電話１０５からＲＦ通信を受取るように構成される。代替的に、ＩＥＥＥ８０２．１１によって規定される装置等、無線アクセスポイントを使用して、携帯電話１０５をネットワーク４０５に接続してもよい。ＷＡＰゲートウェイコンピュータ１２０または同様のアクセスポイントを介して、携帯電話１０５は、ＳＭＴＰサーバ１３５に対して、選択されたプリンタまたは印刷装置においてプリントされる選択されたＥメールメッセージおよびＥメール添付ファイルを送信するように命令する。ＥメールメッセージおよびＥメール添付ファイルを、プリンタまたは印刷装置に送信する前にサーバに中間的に送信してもよい。
【００３２】
ネットワーク４０５は、ネットワーク１２５（図１）と、社内ネットワークとを含んでもよい。また、ネットワーク４０５はインターネットを含んでもよい。さらに、社内ネットワークとインターネット等の外部ネットワークとの間に社内ファイアウォールシステムおよびコンピュータを配置してもよい。また、ネットワーク４０５は、無線エリアネットワーク、ワイドエリアネットワーク、ローカルエリアネットワークおよびパーソナルエリアネットワークを含むいくつかのタイプの組込型（hardwired）無線ネットワークのうちの１つまたは複数を含んでもよい。
【００３３】
サーバ４１０は、メッセージ（たとえば、Ｅメールメッセージ）、データファイル（たとえば、Ｅメール添付ファイル）および他の通信を受信し格納する。さらに、サーバ４１０は、メッセージ、データファイルおよび通信を、ネットワーク４０５を介して送信する。動作シナリオ例では、サーバ４１０が、携帯電話１０５からＥメールメッセージ等のメッセージを受信し、メッセージを格納し、その後メッセージを、プリンタ４１５等のプリンタにおいてプリントするためにネットワーク４０５を介して転送する。サーバ４１０は、ＥメールメッセージおよびＥメール添付ファイルを受信し処理するように構成されており、かかるＥメールメッセージおよびＥメール添付ファイルを、選択されたプリンタにプリントするように設定する。特に、サーバ４１０は、プリントジョブを選択されたプリンタに提出する前に、かかるＥメールメッセージおよびＥメール添付ファイルを、必要なプリンタ装置言語およびフォーマッティングに変換する。
【００３４】
ネットワーク４０５は、陸線、無線接続または組合せによりプリントサーバ４２０とともに構成される。プリントサーバ４２０は、ＥメールメッセージおよびＥメール添付ファイル等のプリントジョブを受取り、それらプリントジョブをプリンタ４２５のために待ち行列に入れる。プリントサーバ４２０は、サーバ４１０と同様に構成されることにより、選択されたプリンタにプリントするためにＥメールメッセージおよびＥメール添付ファイルを受取り処理する。プリントサーバ４２０は、プリントジョブを選択されたプリンタに提出する前に、かかるＥメールメッセージおよびＥメール添付ファイルを必要なプリンタ装置言語およびフォーマットに変換する。
【００３５】
ネットワーク４０５は、メールサーバ１３０およびＳＭＴＰサーバ１３５に対する陸線、無線接続または組合せを有するように構成される。メールサーバ１３０には、プリンタ４３０が直接接続される。メールサーバ１３０がプリンタ４３０等の１つまたは複数のプリンタに接続されることにより、携帯電話１０５は、ＷＡＰゲートウェイ１２０を介してＳＭＴＰサーバ１３５に対し、ＳＭＴＰサーバ１３５に対してプリンタ４３０等のプリンタにＥメールメッセージおよび／またはＥメール添付ファイルをプリントするように命令する命令を送信することができる。プリントジョブをプリンタに提供する、メールサーバ１３０とＳＭＴＰサーバ１３５とを含むいかなるサーバも、上述したように、ＥメールメッセージおよびＥメール添付ファイルを必要なプリンタ装置言語およびフォーマッティングに変換するように構成しなければならない。
【００３６】
携帯電話１０５はＩＴセンター３２５を介して、図３に示すように、適当なゲートウェイコンピュータ（アクセスポイント）およびサーバに対する適当なセッティングを有するように設定されることが考えられる。さらに、ＩＴセンター３２５はモバイルスイッチングセンター３１５を介して、携帯電話１０５の位置を追跡し、プリントするために最も近く最も適切なプリンタを確定することができる。サーバ１３０、１３５および４１０は、携帯電話のユーザのためにプリントアウトしてもよいＥメールメッセージおよびＥメール添付ファイルを開くために必要なアプリケーションプログラムを有する。携帯電話１０５のユーザは、メールサーバ１３０、ＳＭＴＰサーバ１３５およびサーバ１４０等の特定のサーバに格納されたＥメールメッセージおよび／またはＥメール添付ファイルを、プリンタ４１５、４２５および４３０等のプリンタにおいてプリントされるために送信されるよう命令してもよい。携帯電話１０５は、ＷＡＰゲートウェイ１２０に接続することにより、Ｅメールおよび／またはＥメール添付ファイルをプリントする目的で送信するために必要な命令を提供することが考えられる。
【００３７】
プリンタ４１５、４２５および４３０は、レーザベースのプリンタ、インクベースのプリンタ、ドットマトリクスプリンタ、乾式媒体プリンタ、プロッタ等の装置を含んでもよい。さらに、プリンタ４１５、４２５および４３０は、印刷機能をファクシミリ送信、スキャン、コピー等の他の機能と結合するあらゆる複合機（ＭＦＰ）装置を含んでもよい。プリンタ４１５、４２５および４３０は、特定のＥメールアドレスを有してもよい。
【００３８】
代表的な方法
図５は、特定のプリンタにプリントし、特定のサーバからＥメールを受取り、Ｅメールを特定のサーバに送信するように携帯電話を設定することを示すフローチャートである。
【００３９】
ブロック５０５において、携帯電話は、そのＥメールおよびプリンタ設定セッティングを確定する。上述したように、携帯電話を、特定のメールサーバおよびＳＭＴＰサーバへのアクセスを含むいくつかのＥメールセッティングに対して設定してもよい。さらに、携帯電話を、一定の１つまたは複数のプリンタにプリントするように設定してもよい。プリンタ設定は、特定のプリンタにプリントするために必要とされるいくつかの必要なフィールドまたは属性のうちの１つを含んでもよい。これらのフィールドまたは属性には、「プリンタ名」、「プリンタアドレス」、「プリンタロケーション」、「プリンタＥメールアドレス」および他の一意のプリンタ特徴フィールドまたは属性がある。場合によっては、携帯電話が、Ｅメールおよび／またはプリンタ設定を変更する必要のない場合もある。
【００４０】
ブロック５１０において、ＩＴセンターは、モバイルスイッチングセンターを介して、携帯電話が位置する場所を確定することができてもよい。ＩＴセンターは、携帯電話が位置する場所を知ることにより、ローカルネットワークを確定することができ、それにより携帯電話は、ローカルネットワークに位置する特定のプリンタにプリントすることができる。さらに、特定のＳＭＴＰサーバおよび／またはメールサーバが、携帯電話に対してより適当であってもよい。ＩＴセンターは、携帯電話に対し、携帯電話がローカルネットワークに接続することができプリンタにプリントしおよび／または適当なサーバに接続することを可能にするために提供する、必要なＥメールおよびプリンタ設定セッティングを有する。
【００４１】
ブロック５１５において、ＩＴセンターは、携帯電話がプリントすることを可能にするネットワークが利用可能であるということを、携帯電話に積極的に通知してもよい。さらに、携帯電話に対して、メールおよびＳＭＴＰサーバが利用可能であってもよい。代替的に、携帯電話のユーザは、そのエリアにおけるネットワーク、プリンタおよびサーバの可用性に関する初期問合せによりＩＴセンターに連絡してもよい。
【００４２】
ブロック５２０において、携帯電話のユーザが携帯電話のプリンタおよびＥメールセッティングを再構成することを望むか否かを判断する。状況によっては、携帯電話を再設定する必要または希望がない。これらの状況には、携帯電話によるネットワークへの一時的な訪問がある。特に、ユーザがＥメールメッセージをプリントまたはチェックする必要のない一時的な訪問である。これらの場合、携帯電話の現プリンタおよびＥメール設定は維持され変更されない。
【００４３】
携帯電話のユーザは、ローカルプリンタにプリントすることおよび／またはＥメールセッティングを再設定することを望む場合、ブロック５２５において、ＩＴセンターに通知する。ユーザが接続するネットワークでは、いくつかのプリンタおよびサーバが利用可能であってもよい。したがって、特定のプリンタにプリントし、特定のメールサーバからメールを受信し、および／またはＳＭＴＰ特定サーバにメールを送信するために、携帯電話のユーザは、プリントする１つプリンタ（場合によっては複数のプリンタ）と、自身がメールを受信するサーバと、メールを送信する先のＳＭＴＰサーバとを選択する。ＩＴセンターは、Ｅメールを送受信し１つまたは複数のプリンタにプリントするように携帯電話を変更するための設定情報を含むメッセージを提供する。代替的に、ＩＴセンターは、携帯電話が設定を変更しなければならないことを積極的に確定し設定変更を行ってもよい。
【００４４】
ブロック５３０において、携帯電話が、プリンタおよび／またはＥメール設定セッティングを変更するために自動設定を行うようにセットアップされているか否かを判断する。携帯電話は、テキストメッセージ（たとえば、ＳＭＳメッセージ）の形態でプリンタおよび／またはＥメール設定を受取ってもよい。テキストメッセージは、特定のメモリロケーション（たとえば、プリンタ設定メモリおよびＥメール設定メモリ）を充填するパラメータを提供し、それによりメモリロケーションはプリンタおよびＥメール設定を明確にする。
【００４５】
携帯電話によっては、ユーザがプリンタおよび／またはＥメール設定を変更したいと望む場合、ソフトウェアまたはハードウェアのいずれかにより、メモリロケーションをパラメータによって自動的に更新する。ユーザは、単にプリンタ設定変更を受取り、パラメータが適当なフィールドに追加される。ブロック５３５において、携帯電話は、新たな設定セッティングに自動的に設定する。自動設定を、設定セッティングをメモリ２２０のメモリ２２５および２２７にマップする、図１に示すマッピング制御コード２２９によって行ってもよい。
【００４６】
携帯電話１００に、プリンタおよび／またはＥメール設定パラメータを自動的に入力するソフトウェアまたはハードウェアが備えられていない場合、ユーザは、適当なメモリロケーションにテキストメッセージをコピーしてもよい。ブロック５４０に示すように、ユーザは、単にテキストメッセージから適当なパラメータ情報を選択し、それをコピーし、その後それを適当なフィールドにペーストする。これにより、携帯電話の小さいキーを使用して設定を入力し直す必要がなくなる。
【００４７】
特定の実施態様および実施形態の詳細を上で説明したが、かかる詳細は、添付の特許請求の範囲の適用範囲を制限することではなく法定開示義務を満足することが意図されている。このため、特許請求の範囲で規定される本発明は、上述した特定の特徴に限定されない。むしろ、本発明は、均等論にしたがって適当に解釈される、添付の特許請求の範囲の適当な適用範囲内にあるその形態または変更態様のいずれかで請求される。
【図面の簡単な説明】
【００４８】
【図１】携帯電話がＥメールメッセージおよびＥメール添付ファイルを受信しＥメールメッセージを送信するための代表的な環境を示すブロック図である。
【図２】ＥメールメッセージおよびＥメール添付ファイルをプリントするように携帯電話を設定するあらゆる方法を実現するために適した代表的な携帯電話アーキテクチャを示すブロック図である。
【図３】携帯電話にメッセージを渡すための代表的な環境を示すブロック図である。
【図４】携帯電話がプリンタまたは印刷装置にプリントするのを可能にする代表的なネットワークを示すブロック図である。
【図５】特定のプリンタにプリントし、特定のサーバからＥメールを受信し、特定のサーバにＥメールを送信するように携帯電話を設定する代表的な方法を示すフローチャートである。
【符号の説明】
【００４９】
１０５  携帯電話
２０５  送受信機
２１５  プロセッサ
２２０  メモリ
【図１】
2004220606.tif 000003
【図２】
2004220606.tif 000004
【図３】
2004220606.tif 000005
【図４】
2004220606.tif 000006
【図５】
2004220606.tif 000007